(57)【特許請求の範囲】
【請求項１】
床スラブと、該床スラブ上に配設された支持板と、該支持板によって支持される室内暖房用の発熱体と、該発熱体と接する状態で該発熱体上に配設された床仕上げ材とを備え、
前記床スラブと支持板との間には空気層が設けられ、
前記空気層には、アルミ箔から構成された輻射遮断材が、その輻射面を前記支持板下面と向き合わせた状態で配設され、前記床スラブと前記輻射遮断材との間に第２空気層が備えられていることを特徴とする建造物の床構造。
【発明の詳細な説明】
【０００１】
【発明の属する技術分野】
本発明は、住宅等の建造物における床構造に関し、より詳しくは、床スラブ及び床仕上げ材間に床暖房用発熱体が備えられた建造物の床構造に関する。
【０００２】
【従来の技術】
従来から、床スラブ及び床仕上げ材間に発熱体を備え、該発熱体による輻射熱によって室内暖房を行えるようにした床構造は公知である。図５に、斯かる床暖房機能を備えた従来の床構造１００を示す。
【０００３】
図５に示すように、従来の床構造１００は、床スラブ１１上に、順に、グラスウール等の断熱材１１３，支持板１４，発熱体１５及び床仕上げ材１６を積層し、前記断熱材１１３によって、発熱体１５による熱のうち室内暖房に寄与しない床スラブ１１への伝熱量を抑え、結果として、床上方向への放熱割合を上昇させるようにしていた。なお、図中、２０が室内である。
【０００４】
しかしながら、床スラブ１１上に発熱体１５及び床仕上げ材１６を配設する２重構造自体が高価な上に、床スラブ１１及び発熱体支持板１４間をグラスウール等からなる高価な断熱材１１３で充填することは、コスト面から好ましくなく、それ故、斯かる従来の床構造は広く一般に用いられていなかった。
【０００５】
【発明が解決しようとする課題】
本発明は、前記問題点に鑑みなされたもので、床スラブ上に室内暖房用発熱体及び床仕上げ材が配設されてなる建造物の床構造において、前記発熱体の床上方向への放熱割合を上昇させ得る安価な床構造を提供することを目的とする。
【０００６】
【課題を解決するための手段】
本発明は、前記目的を達成するために、床スラブと、該床スラブ上に配設された支持板と、該支持板によって支持される室内暖房用の発熱体と、該発熱体と接する状態で該発熱体上に配設された床仕上げ材とを備え、前記床スラブ上面及び支持板下面間には空気層が設けられ、前記空気層には、アルミ箔から構成された輻射遮断材が、その輻射面を前記支持板下面と向き合わせた状態で配設され、前記床スラブと前記輻射遮断材との間に第２空気層が備えられている建造物の床構造を提供する。
【０００８】
【発明の実施の形態】
本発明に係る建造物の床構造の好ましい実施の形態につき、以下に添付図面を参照しつつ説明する。図１は本実施の形態に係る床構造１の断面図である。
【０００９】
図１に示すように、本実施の形態に係る床構造１は、床スラブ１１上に所定厚さの空気層１３を存して配設された支持板１４と、該支持板１４によって支持される発熱体１５と、該発熱体１５と接するように該発熱体上に配設された床仕上げ材１６を備えている。前記発熱体１５としては、例えば、小根太付温水マットを用いることができる。
【００１０】
さらに、本実施の形態に係る床構造は、床スラブ１１及び空気層１３間に、輻射面が前記支持板１４下面と面するように、輻射遮断材１２が配設されている。該輻射遮断材の材質としては、床スラブ１１より輻射率が低い材質であればよく、例えば、アルミ箔，銅，鉄，表面に白色塗料が塗られた物質及び白紙等、種々の材料を用いることができるが、コストや取扱い容易性を考慮すると、アルミ箔を用いることが好ましい。なお、図中、２０が室内である。
【００１１】
このように構成された床構造１においては、従来の床構造におけるように、グラスウール等の高価な断熱材を用いることなく、発熱体１５からの床上方向への放熱割合を上昇させることができる。即ち、本実施の形態に係る床構造１においては、発熱体１５上面と接する状態で床仕上げ材１６を配設する一方、発熱体１５を支持する支持板１４及び床スラブ１１間に空気層１３を設けたので、発熱体１５を基準に考えると、床仕上げ材１６へは熱伝導により熱が伝わり、床スラブ１１へは空気層１３を介した対流伝熱及び放射伝熱により熱が伝わることになる。熱伝導による方が対流伝熱及び放射伝熱よりも熱が伝わりやすいから、斯かる構造により、床上方向への放熱割合を上昇させることができる。
【００１２】
さらに、前記空気層１３中に、輻射遮断材１２を、輻射面が支持板１４下面と向き合う態様で、備えるようにしたので、該輻射遮断材１２によって発熱体１５からの床スラブ方向、即ち、床下方向への熱の輻射を遮断することができる。これにより、床下方向への熱伝達をさらに低減させ、結果として、床上方向への放熱割合を上昇させることができる。
【００１３】
また、図２に示すように、輻射遮断材１２及び床スラブ１１間に第２空気層１７が存するように、該輻射遮断材１２を配設すれば、床スラブ１１への伝熱量をさらに低減させ、結果的に、床上方向への放熱割合をより上昇させることができる。即ち、図１におけるように、輻射遮断材１２を床スラブ１１上に直に載置すると、発熱体１５からの輻射熱の一部を吸収して昇温した輻射遮断材１２から床スラブ１１に熱伝導によって熱が伝わることになる。これに対し、図２に示すように、輻射遮断材１２及び床スラブ１１間に第２空気層１７を設けるようにすれば、輻射遮断材１２の吸収熱は該第２空気層１７を介した対流伝熱及び放射伝熱によって床スラブ１１に伝わることになる。前述のように、対流伝熱及び放射伝熱熱伝達の方が熱伝導より熱が伝わりにくいから、図２に示す構成によると、床スラブへの伝熱量をより小さくでき、結果として、床上方向への放熱割合をより上昇させることができる。なお、輻射遮断材１２の支持方法は、図２に示すようなスタンド１８による支持の他、種々の方法が適用できる。該支持に用いる支持具は、好ましくは、熱伝達率の低い材質で製造することができる。
【００１４】
【実施例】
以下に、実施例を挙げて本発明を具体的に説明する。本実施例においては、図３に示す床構造１ａを作製し、床上方向への放熱割合を測定した。本実施例における床構造１ａは、図３に示すように、床スラブに相当する下合板１１ａ上に、空気層１３ａを存して小根太付温水マット１５ａを配設し、且つ、該小根太付温水マット１５ａ上に床仕上げ材に相当する上合板１６ａを載置し、さらに、前記空気層１３ａ中に配設される輻射遮断材として厚さ３０μｍのアルミ箔１２ａを下合板１１ａ上に敷設してなるものである。前記上下合板１１ａ，１６ａ及び小根太付温水マット１５ａは共に１畳の大きさであり、厚さは上下合板１１ａ，１６ａが15mm、小根太付温水マット１５ａが12mmとした。なお、図中、３０は横方向への熱の流出を防止するための断熱材であり、床構造１ａの外周側面を囲んでいる。
【００１５】
このような床構造１ａを用い、室温を５℃とし、前記小根太付温水マット１５ａに入口温度８０℃（出口温度７８℃）の温水を流した。そして、温水を流し始めてから２００分後の定常状態における床上方向及び床下方向への放熱量を、小根太付温水マット１５ａの上面及び下面にそれぞれ設置した熱流計３１，３２を用いて測定し、該測定値を用いて次式により床上方向放熱割合を算出した。
【００１６】
床上方向放熱割合（％）＝床上方向放熱量／（床上方向放熱量＋床下方向放熱量）×１００
実施例１
空気層１３ａの厚さを10mmとして、前記方法により、床上方向放熱割合を２度算出した。結果は、１回目が約７１％、２回目が約７３％であり、平均値約７２％であった。この測定結果を、図４のグラフに○印で示す。
【００１７】
実施例２
空気層１３ａの厚さを50mmとして、前記方法により、床上方向放熱割合を算出した。結果は、約７６％であった。この測定結果を、図４のグラフに△印で示す。
【００１８】
比較例１
前記実施例１と同条件において、アルミ箔１２ａを取り除いて床上方向放熱割合を２度算出した。結果は、１回目が約６７．５％、２回目が約６８．５％であり、平均値約６８％であった。この測定結果を、図４のグラフに●印で示す。
【００１９】
比較例２
前記実施例２と同条件において、アルミ箔１２ａを取り除いて床上方向放熱割合を２度算出した。結果は、１回目及び２回目とも約７１％であった。この測定結果を、図４のグラフに▲印で示す。
【００２０】
図４によく表されているように、空気層が10mmの場合及び50mmの場合共に、空気層１３ａ中にアルミ箔１２ａを配設することにより、床上方向の放熱割合を向上させ得ることが確認された。
【００２１】
【発明の効果】
本発明に係る建造物の床構造によれば、床スラブと、該床スラブ上に配設された支持板と、該支持板によって支持される室内暖房用の発熱体と、該発熱体と接する状態で該発熱体上に配設された床仕上げ材とを備え、前記床スラブ上面及び支持板下面間に空気層を設け、且つ、前記空気層に、輻射面が前記支持板下面と向き合うように、輻射遮断材を配設したので、グラスウール等の高価な断熱材を用いることなく、床上方向の放熱割合を上昇させることができる。従って、室内暖房効率を向上させ得る床構造を安価に提供することができる。
【００２２】
また、前記床スラブと輻射遮断材との間に第２空気層を備えるようにすれば、さらに床上方向放熱割合を向上させることができる。
【図面の簡単な説明】
【図ｌ】図１は、本発明に係る建造物の床構造の好ましい一実施の形態を示す断面図である。
【図２】図２は、本発明に係る建造物の床構造の他の形態を示す断面図である。
【図３】図３は、実施例に用いた床構造の断面図である。
【図４】図４は、実施例及び比較例における床上放熱割合を示すグラフである。
【図５】図５は、従来の建造物の床構造を示す断面図である。
【符号の説明】
１  床構造
１１  床スラブ
１２  輻射遮断材
１３  空気層
１４  支持板
１５  発熱体
１６  床仕上げ材
１７  第２空気層
【図１】
0003837927.tif 000002
【図２】
0003837927.tif 000003
【図３】
0003837927.tif 000004
【図４】
0003837927.tif 000005
【図５】
0003837927.tif 000006